(57)【特許請求の範囲】
【請求項１】
カミソリヘッドに取り付けられたカミソリ刃が柄に対して横方向に延びるように配設され、カミソリヘッドのいずれかの部分が柄から延びる２つの接続部の上端部に一体に結合され、且つ前記カミソリヘッドのいずれかの部分と前記接続部と前記柄はプラスチックの射出成型により一体に形成されており、安全カミソリの使用時に皮膚に向く側を前側、その反対側を後側と定義したときに、接続部の前後方向の厚みはその基部から上端部まで上端部に行くに従って徐々に薄くなるように形成され、その接続部の所定の厚みに形成された部分から前記上端部までの間の部分が安全カミソリの使用時に撓んでカミソリヘッドを揺動させることを特徴とする安全カミソリ。
【請求項２】
接続部の厚みが薄くなっていく変化率は、接続部の基部から接続部の中ほどまでの変化率よりも、接続部の中ほどから上端部までの変化率の方が小さい請求項１記載の安全カミソリ。
【請求項３】
カミソリヘッドは、刃台部と天板とこれらの間に装着されたカミソリ刃を含んで構成されており、刃台部と接続部の上端部が一体に結合されている請求項１又は請求項２記載の安全カミソリ。
【請求項４】
カミソリヘッドは、その最前部において接続部と結合している請求項３記載の安全カミソリ。
【発明の詳細な説明】
【技術分野】
【０００１】
本発明は、主に一般家庭で使用され、使用時にカミソリヘッドが揺動する安全カミソリに関する。
【背景技術】
【０００２】
カミソリヘッドが揺動する安全カミソリは、ひげ剃り中にカミソリヘッドが皮膚の起伏に従動して揺動し、良好なひげ剃り結果をもたらすように構成されている。このような安全カミソリは、カミソリヘッドが柄の上端に設けられたアームに揺動可能に保持されており、通常はカミソリヘッドが一定の位置を保つように弾性的に支持されつつアームにジャーナル結合されている。カミソリヘッドが皮膚の起伏に従動して揺動するのは、ひげ剃り時に一定の圧力以上でカミソリヘッドを皮膚に当てたときに、カミソリヘッドが皮膚から受ける応力が、カミソリヘッドを一定の位置に保っている弾性力以上の力となってカミソリヘッドを揺動させるのである。このように優れた効果を発揮する安全カミソリは需要者に受け入れられ、長く安全カミソリの主流の地位を保っている。
【０００３】
安全カミソリは主にひげ剃りに使用するものであるが、使用者はうぶ毛剃りにも使用する。うぶ毛は細くて柔らかいので、ひげ剃りの場合に比べてカミソリヘッドを皮膚に強く当てなくても剃ることができる。首などうぶ毛を剃る部位によってはカミソリヘッドを皮膚に弱く当てることが好ましい場合もある。
【０００４】
うぶ毛を剃るときにカミソリヘッドを弱めに皮膚に当てた場合であっても、カミソリヘッドはひげを剃るときと同様に皮膚の起伏に従動して揺動することが好ましい。カミソリヘッドの揺動によって、うぶ毛を剃るときの皮膚に対する刃の角度を良好なものにすることができるからである。しかし、従来の安全カミソリにおいて、カミソリヘッドを弱めに皮膚に当てたときは、うぶ毛を剃るときにカミソリヘッドが皮膚から受ける応力が、カミソリヘッドを一定の位置に保っている弾性力以上の力とならずカミソリヘッドを揺動させづらい。したがって、うぶ毛を剃るときにカミソリヘッドを弱めに皮膚に当てたときは、カミソリヘッドが容易に揺動するように接続部が撓み易いことが好ましい。カミソリヘッドを弱めに皮膚に当てて使用するときにカミソリヘッドを揺動させるためには、例えば接続部を薄く形成して撓み易くすればよい。このようにすれば、カミソリヘッドを皮膚に弱く当てながらうぶ毛を剃るときでもカミソリヘッドが揺動し、良好なうぶ毛剃り結果をもたらすことができる。このような、うぶ毛を剃るときの接続部の撓み易い状態は、カミソリヘッドの揺動角の狭い範囲で生じれば十分である。なぜならば、うぶ毛の生えている場所はひげの生えている顎などと比べて皮膚の起伏が非常に緩やかであり、うぶ毛を剃るときのカミソリヘッドの揺動角は小さいからである。
【０００５】
これに対して、ひげを剃るときにはカミソリヘッドの揺動角が大きくなるのであるが、このような場合まで接続部がうぶ毛剃り時と同様の撓み易さを有すると、カミソリヘッドは皮膚の起伏以外にひげを切断する際にひげから受ける抵抗力によって影響を受け、必要以上にカミソリヘッドが揺動してしまうのである。したがって、カミソリヘッドの揺動角が小さいときは接続部が撓み易いことが好ましいが、カミソリヘッドの揺動がその小さな揺動角を超えたときは、自動的に接続部の撓み易さを減少させる必要がある。
【０００６】
接続部の撓み易さを調節できる安全カミソリはすでに提案されている。それは、柄とカミソリヘッドが可撓性を有する接続部で結合され、接続部の露出長さを調節できる手段を有している安全カミソリである。接続部の露出長さを長くしたときは接続部が撓み易く、接続部の一部を筒状体で覆って露出長さを短くしたときは接続部の撓み易さが減少するので、接続部の撓み易さを調節することができる。しかし、調節はその都度手で行わなければならず自動的に行われるものではない。
【先行技術文献】
【特許文献】
【０００７】
【特許文献１】実開昭５５−１４３１７７号公報
【発明の概要】
【発明が解決しようとする課題】
【０００８】
常時接続部が撓み易くうぶ毛に適した安全カミソリをひげ剃りに使用した場合には、ひげから受ける抵抗がうぶ毛に比べて格段に大きいので、ひげが切断される前に刃がひげに引っ掛かった状態で接続部が必要以上に撓むことになる。この結果、刃が皮膚に対する好ましい角度よりも立ってしまうので、良好なひげ剃り結果を得ることができないことが問題点である。そこで、簡易な構成で接続部の撓み易さを自動的に調節することができる安全カミソリが求められる。
【課題を解決するための手段】
【０００９】
本発明は、うぶ毛を剃る場合のようにカミソリヘッドを皮膚に弱く当てたときにカミソリヘッドが容易に揺動し、ひげを剃るときにひげから大きな抵抗を受けてカミソリヘッドが一定の角度以上に揺動したときは、角度に応じて撓み易さが自動的に減少する安全カミソリを簡易な構成で安価に提供することを目的とするものであって、請求項１記載の発明は、カミソリヘッドのいずれかの部分が柄から延びる２つの接続部の上端部に一体に結合され、且つ前記カミソリヘッドのいずれかの部分と前記接続部と前記柄はプラスチックの射出成型により一体に形成されており、安全カミソリの使用時に皮膚に向く側を前側、その反対側を後側と定義したときに、接続部の前後方向の厚みはその基部から上端部まで上端部に行くに従って徐々に薄くなるように形成され、その接続部の所定の厚みに形成された部分から上端部までの間の部分が安全カミソリの使用時に撓んでカミソリヘッドを揺動させる
【００１０】
請求項２記載の発明は、続部の厚みが薄くなっていく変化率が、接続部の基部から接続部の中ほどまでの変化率よりも、接続部の中ほどから上端部までの変化率の方が小さい構成である。
【００１１】
請求項３記載の発明は、カミソリヘッドが、刃台部と天板とこれらの間に装着されたカミソリ刃を含んで構成されており、刃台部と接続部の上端部が一体に結合されている構成である。
【００１２】
請求項４記載の発明は、カミソリヘッドが、その最前部において接続部と結合している構成である。
【発明の効果】
【００１３】
本発明は、カミソリヘッドのいずれかの部分が柄から延びる接続部の上端部に一体に結合され、安全カミソリの使用時に皮膚に向く側を前側、その反対側を後側と定義したときに、接続部は、その上端部から柄に向かう所定の長さの部分の前後方向の厚みが上端部に行くに従って徐々に薄くなるように形成され、その所定の長さの部分の中の一定の長さの部分が安全カミソリの使用時に撓んでカミソリヘッドを揺動させる構成である。接続部はその上端部付近が最も薄く形成されているから、カミソリヘッドを皮膚に弱く当ててうぶ毛を剃るときは、その上端部付近が容易に撓むのでカミソリヘッドを揺動させながら剃ることができ、良好なうぶ毛剃り結果を得ることができる。また、接続部はその上端部から柄の方向に行くに従って徐々に厚みが増すので、撓みについて接続部はいわゆる腰が強い性質を有する。したがって、ひげ剃りをするときには、カミソリヘッドの揺動角が徐々に大きくなるにつれ自動的に接続部の撓み易さが減少するので、カミソリヘッドは必要以上に揺動せず良好なひげ剃り結果を得ることができる。さらに、このような効果を得るための構成は、接続部の上端部から柄に向かう所定の長さの部分について、接続部の前後方向の厚みをその上端部に行くに従って徐々に薄くなるように形成するだけであるから、構成が簡易であって製造コストを抑えることができる。
【００１４】
また、カミソリヘッドが刃台部と天板の間にカミソリ刃を装着した構成で、カミソリヘッドの最前部において刃台部と接続部を一体に結合したものとするときは、接続部の上端部の前面から刃台部の表面にかけて連続する表面を形成することが可能である。カミソリヘッドにカミソリ刃の刃先縁よりも前方で刃先縁と平行に延びる皮膚係合面が形成され、接続部の上端部の前面が前記皮膚係合面と連続した面に形成してあるときは、接続部の上端部の前面も皮膚係合面として作用する。また、接続部を上方に向かって二股に分かれるアーム状に形成したときは、２つのアームの間から肌面を確認しながら剃ることができる。
【図面の簡単な説明】
【００１５】
【図１】本発明の斜視図である。
【図２】本発明の側面図である。
【図３】本発明の前面図である。
【図４】図２におけるＡ−Ａ端面図である。
【図５】図２におけるＢ−Ｂ端面図である。
【発明を実施するための形態】
【００１６】
次に本発明の実施形態について説明する。安全カミソリ１は、柄２の上端から上方に向かって二股に分かれるアーム状の接続部３，３が柄２と一体に設けられ、この接続部３，３の上端部にカミソリヘッド４が結合されている。
【００１７】
カミソリヘッド４は、刃台部５と天板６との間にカミソリ刃７が装着されている。カミソリ刃７の装着方法としては、例えば、天板６の下面から一体に延びる２つの脚部（図示せず。）をカミソリ刃７及び刃台５に設けた挿通孔（図示せず。）に挿通し、刃台５の下面から突出した脚部の端部を潰して脚部の抜け止め部１０，１０を形成することにより、カミソリ刃７を刃台部５と天板６との間に装着する。他の装着方法として、前記脚部（図示せず。）の端部側面に小さな突部を形成し、刃台部の挿通孔（図示せず。）に圧入してその突部が挿通孔を通り抜けた所で固定してもよい。カミソリ刃７にはその刃先縁を一定間隔で露出させるガードシート１８が装着されている。また、このガードシート１８には、天板６の前縁に沿って一列に並ぶように露出する複数の小孔２１が設けられている。
【００１８】
カミソリヘッド４は、カミソリ刃７よりも前側でその刃先縁１３と平行に延びるガードバー８を有している。ガードバー８の両端部は接続部３，３の上端部に一体に結合されていると共に、２つのリブ１９によって刃台部５に一体に結合されている。ガードバー８の表面が皮膚係合面１６であり４つのリブ９が設けられている。ガードバー８の皮膚係合面１６は凹凸のない滑らかな面でもよく、長さ方向に複数の条溝を設けた面であってもよい。ガードバー８と接続部３，３の上端部がカミソリヘッド４の最前部である。接続部３，３の上端部の前面は、ガードバー８の皮膚係合面１６と滑らかに連続する皮膚係合面１７，１７に形成されている。この皮膚係合面１７，１７は皮膚係合面１６と同じように形成されることが好ましく、凹凸のない滑らかな面でもよく、長さ方向に複数の条溝を設けた面であってもよい。接続部３，３の上端部の外側面１１，１１と刃台部５の外側面１２，１２は面一となるように形成されている。
【００１９】
前述したように、接続部３，３は、柄２の上端から上方に向かって二股に分かれるアーム状に形成されている。接続部３，３は柄２と一体に形成されている。接続部３，３の前後方向の厚みはその基部１４，１４から上端部に行くに従って徐々に薄くなるように形成されている。図４に示すように接続部３，３の上端部付近の厚みは薄く、図５に示すように上端部付近よりも下方の部分の厚みは上端部付近の厚みよりも厚い。接続部３，３の厚みが最も薄く形成されている位置は、接続部３，３とカミソリヘッド４の結合点よりもやや下側に存在し、その最小厚みは約１ｍｍでありその部分の幅は約５ｍｍである。それよりも下方の、例えば図２におけるＢ−Ｂ線での厚みは約１．５ｍｍで幅は約６ｍｍである。接続部３，３とカミソリヘッド４の結合点における厚みは、前述した最小厚みより厚くなるように形成されている。これは、カミソリヘッド４に不意に大きな力が加わって応力が結合点に集中したときに、その部分が破断することを防止するためである。
接続部３，３の厚みが薄くなっていく変化率は接続部３，３の基部１４，１４から接続部３，３の中ほどまでは大きい。すなわち、比較的大きな割合でやや急に薄くなっていく。接続部３，３の中ほどから上端部までは薄くなる変化率が小さくなり、わずかの割合で徐々に薄くなっていく。薄くなる変化率が小さい部分が使用中に撓むのであるが、その全部が撓むのではなく、所定の薄さに形成された部分から上方の部分が撓むことになる。これは、釣竿と同じ撓み方である。すなわち、上端部付近の厚みの薄い部分は容易に撓み、基部方向に行くに従って撓み方が減少し、さらにそれよりも基部寄りの部分は撓まない。このような撓み方をする物は腰が強いと呼ばれる。すなわち、カミソリヘッド４を揺動させる力が加わったときに、最初は接続部３，３の上端部付近の厚みの薄い部分が容易に撓んでカミソリヘッド４が揺動するが、カミソリヘッド４が所定の位置まで揺動すると接続部３，３はほとんど撓まず揺動が規制される。
【００２０】
図２に示すように、接続部３のＡ−Ａ線とＢ−Ｂ線の間の区間では、接続部３の側面視中心線は直線をなしている。この側面視中心線の延長線と、カミソリヘッド４に取り付けられているカミソリ刃７の前後方向の延長線Ｘの後方に延びる延長線とのなす角度は、約１００度である。このことは、カミソリヘッド４が接続部３，３に対して約１００度の角度をもって取り付けられているということである。但し、約１００度に限定されるものでなく７０度〜１６０度であることが好ましい。また、接続部３のＡ−Ａ線とＢ−Ｂ線の間の区間での側面視中心線が前側に凸の曲線であってもよい。また、Ｂ−Ｂ線から接続部３の下端までの側面視中心線は後ろ側に凸の曲線に形成され、それと連続するように接続部３の下端から柄の下端までの側面視中心線も後ろ側に凸の曲線に形成されている。
【００２１】
天板６の上面にはひげ剃り又はうぶ毛剃りを円滑に行うためのシェービングエイド１５が取り付けられている。シェービングエイド１５は、射出成形によって天板６に取り付けてもよく、押出し成形で予め成形しておき、成形後に天板６に取り付けてもよい。シェービングエイド１５は天板６以外の皮膚係合面に取り付けてもよい。すなわち、ガードバー８の皮膚係合面１６に取り付けてもよく、接続部３，３の上端部前面の皮膚係合面１７，１７に取り付けてもよい。シェービングエイド１５にイソフラボンやヒアルロン酸などの成分を添加してもよい。
【００２２】
次に本発明の製造方法について説明すると、本発明の製造方法は、プラスチックの射出成型により柄２と接続部３，３と刃台部５を一体に形成し、同様にプラスチックの射出成型により天板６を形成し、刃台部５の上にカミソリ刃７を載置し、その上から天板６を取り付けてカミソリ刃７を挟着固定する。材料のプラスチックは、ポリプロピレンなどの樹脂を用いるのが良い。
【００２３】
なお、本発明は、接続部３，３が刃台部５と結合せず、天板６の両端部と結合する構成にしてもよい。
【産業上の利用可能性】
【００２４】
本発明は、簡易な構成で、ひげ剃り又はうぶ毛剃りのいずれにも適したカミソリヘッドの揺動を得ることができる。
【符号の説明】
【００２５】
１  安全カミソリ、    ２  柄、    ３  接続部、    ４  カミソリヘッド、    ５  刃台部、    ６  天板、    ７  カミソリ刃、    ８  ガードバー、    ９  リブ、    １０  抜け止め部、    １１  接続部の外側面、    １２  刃台部の外側面、    １３  刃先縁、    １４  接続部の基部、    １５  シェービングエイド、      １６  ガードバーの皮膚係合面、      １７  接続部の皮膚係合面、      １８  ガードシート、      １９  ブリッジ、      ２０  天板の前縁、      ２１  小孔
【図１】
0005700519.tif 000002
【図２】
0005700519.tif 000003
【図３】
0005700519.tif 000004
【図４】
0005700519.tif 000005
【図５】
0005700519.tif 000006